(57)【要約】      （修正有）【課題】全ての火災報知端末の接続状態およびアドレス重複の確認を容易に行うことができる火災報知システムを提供する。【解決手段】それぞれ識別子を持ち火災に関連する感知情報を検知する複数の火災報知端末（煙感知器１９、熱電対式検出器２１、一般感知器２５、熱感知器２９）と、火災報知端末よりの感知情報を受信して表示するため火災報知端末に接続される受信機と、火災報知端末に接続される模擬装置３５と、模擬装置と無線で通信する携帯端末９を有する火災報知システム１であって、模擬装置により、識別子に対応する前記火災報知端末の状態が検知され、火災報知端末の状態の情報が携帯端末へ送信され、携帯端末により、識別子に対応する火災報知端末の状態が識別子順に一覧表示される。【選択図】図１
2020119074.tif 000002
【特許請求の範囲】
【請求項１】
それぞれ識別子を持ち火災に関連する感知情報を検知する複数の火災報知端末と、前記火災報知端末よりの感知情報を受信して表示するため前記火災報知端末に接続される受信機と、を有する火災報知システムであって、
前記識別子に対応する前記火災報知端末の状態を検知するために前記火災報知端末に接続される模擬装置と、前記模擬装置と無線で通信して、前記識別子に対応する前記火災報知端末の状態を表示する携帯端末と、を備えることを特徴とする火災報知システム。
【請求項２】
前記携帯端末が、前記模擬装置により検知された前記火災報知端末の状態を、識別子順に一覧表示することを特徴とする請求項１に記載の火災報知システム。
【請求項３】
前記火災報知端末の状態が、前記火災報知端末の接続状態であることを特徴とする請求項２に記載の火災報知システム。
【請求項４】
前記火災報知端末の状態が、前記火災報知端末の識別子の重複であることを特徴とする請求項２に記載の火災報知システム。
【請求項５】
前記火災報知端末が、それぞれの作動状態を表示する表示手段を有しており、前記携帯端末が、前記模擬装置と無線で通信して、前記火災報知端末の識別子に従って前記火災報知端末の表示手段を表示させる表示指示を前記模擬装置へ送信し、前記模擬装置が、前記携帯端末よりの表示指示により、前記火災報知端末の識別子に従って前記火災報知端末の表示手段を表示させることを特徴とする請求項１に記載の火災報知システム。
【請求項６】
前記火災報知端末の識別子に従った前記火災報知端末の表示手段による表示に基づいて、前記火災報知端末の識別子が所定の設定と違っていることが検出されることを特徴とする請求項５に記載の火災報知システム。
【請求項７】
前記模擬装置が、前記携帯端末よりの訂正指示に基づいて、前記火災報知端末の所定の設定と違っている識別子の訂正することを特徴とする請求項６に記載の火災報知システム。
【請求項８】
前記模擬装置が、前記携帯端末よりの指示に基づいて、前記火災報知端末の重複識別子の訂正することを特徴とする請求項４に記載の火災報知システム。
【請求項９】
前記受信機が前記火災報知端末に接続されていない状態であることを特徴とする請求項１〜８のいずれかに記載の火災報知システム。
【請求項１０】
前記火災報知端末の表示手段が、それぞれの作動状態を表示するためのライトからなることを特徴とする請求項１〜９のいずれかに記載の火災報知システム。
【請求項１１】
それぞれ識別子を持ち火災に関連する感知情報を検知する複数の火災報知端末と、前記火災報知端末よりの感知情報を受信して表示するため前記火災報知端末に接続される受信機と、を有する火災報知システムであって、
前記火災報知端末の識別子を確認して訂正するために前記火災報知端末に接続される模擬装置と、前記模擬装置と無線で通信して、前記火災報知端末の識別子の状態を表示する携帯端末とを備え、
前記火災報知端末が、それぞれの作動状態を表示する表示手段を有しており、前記携帯端末が、前記火災報知端末の識別子に従って前記表示手段を表示させる表示指示を前記模擬装置へ送信し、前記模擬装置が、前記携帯端末よりの表示指示により、前記火災報知端末の識別子に従って前記表示手段を表示させ、前記火災報知端末の識別子に従った前記火災報知端末の表示手段による表示に基づいて、前記火災報知端末の識別子が所定の設定と違っていることが検出され、前記火災報知端末の識別子が所定の設定と違っている場合、前記携帯端末は、その所定の設定と違っている識別子を訂正する訂正指示を前記模擬装置に対して行い、前記模擬装置は、前記携帯端末よりの訂正指示に基づいて、その所定の設定と違っている識別子を訂正することを特徴とする火災報知システム。
【請求項１２】
前記受信機が前記火災報知端末に接続されていない状態であることを特徴とする請求項１１に記載の火災報知システム。
【請求項１３】
前記火災報知端末の表示手段が、それぞれの作動状態を表示するためのライトからなることを特徴とする請求項１１、１２のいずれかに記載の火災報知システム。
【請求項１４】
それぞれ識別子を持ち火災に関連する感知情報を検知する複数の火災報知端末と、前記火災報知端末よりの感知情報を受信して表示するため前記火災報知端末に接続される受信機と、前記火災報知端末に接続される模擬装置と、前記模擬装置と無線で通信する携帯端末を有する火災報知システムにおける火災報知端末の状態確認識別子訂正方法であって、
前記模擬装置により、前記識別子に対応する前記火災報知端末の状態が検知される工程と、
前記模擬装置により、前記火災報知端末の状態の情報が前記携帯端末へ送信される工程と、
前記携帯端末により、前記識別子に対応する前記火災報知端末の状態が識別子順に一覧表示される工程と、を備えることを特徴とする状態確認識別子訂正方法。
【請求項１５】
それぞれ識別子を持ち火災に関連する感知情報を検知する複数の火災報知端末と、前記火災報知端末よりの感知情報を受信して表示するため前記火災報知端末に接続される受信機と、前記火災報知端末に接続される模擬装置と、前記模擬装置と無線で通信する携帯端末を有し、前記火災報知端末が、それぞれの作動状態を表示する表示手段を有する火災報知システムにおける火災報知端末の状態確認識別子訂正方法であって、
前記携帯端末により、前記火災報知端末の識別子に従って前記火災報知端末の表示手段を表示させる表示指示が前記模擬装置へ送信される工程と、
前記模擬装置により、前記携帯端末よりの表示指示に基づいて、前記火災報知端末の識別子に従って前記火災報知端末の表示手段が表示される工程と、
前記火災報知端末の識別子に従った前記火災報知端末の表示手段による表示に基づいて、前記火災報知端末の識別子が所定の設定と違っていることが検出される工程と、
前記携帯端末により、前記火災報知端末の識別子が所定の設定と違っている場合に、その所定の設定と違っている識別子を訂正する訂正指示が前記模擬装置に対して行われる工程と、
前記模擬装置により、前記携帯端末よりの訂正指示に基づいて、その所定の設定と違っている識別子が訂正される工程と、を備えることを特徴とする状態確認識別子訂正方法。
【発明の詳細な説明】
【技術分野】
【０００１】
本発明は、火災報知システムおよび火災報知端末の状態確認識別子訂正方法に関するものである。
【背景技術】
【０００２】
従来から、煙感知器や熱感知器や発信機等を火災報知端末として複数設置し、それらの火災報知端末からの感知情報により火災を感知して報知する火災報知システムが知られている。
【０００３】
従来の火災報知システムとしては、以下のような構成が知られている。
【０００４】
表示部を有する受信機に、煙感知器や熱感知器や発信機等の火災報知端末が接続され、その火災報知端末の感知情報が、受信機へ送られ、その感知情報が集約されて受信機の表示部に表示される構成となっていた。
【０００５】
そして、監視者は、その受信機の表示部に表示される感知情報により、火災等の監視を行っていた。
【０００６】
従来の火災報知システムには以下のような問題点があった。
【先行技術文献】
【特許文献】
【０００７】
【特許文献１】特開２０１７−１１６９７３号公報
【特許文献２】特開平５−２９８５８８号公報
【発明の概要】
【発明が解決しようとする課題】
【０００８】
従来の火災報知システムでは、システムの設置過程において、煙感知器や熱感知器や発信機等の各火災報知端末を識別するために、各火災報知端末に、個別の識別子（アドレス）を設定していた。
【０００９】
通常、各火災報知端末のアドレスの設定は、システムの設置過程において、各火災報知端末の配線前に、各火災報知端末に対して専用のアドレス設定器で行っていた。すなわち、施工者が、各火災報知端末の設定図に基づいて専用のアドレス設定器を使って各火災報知端末のアドレス設定を行い、アドレス設定の行われた感知器を、施工者が設置配線して行ようになっていた。
【００１０】
しかしながら、その際、火災報知端末の設置位置を間違えることがあり、それにより、配線された火災報知端末のアドレス間違いが起こる。ここで、アドレス間違いとは、各火災報知端末の設定図に基づいて本来設置されるべきアドレス位置に、異なるアドレスの火災報知端末が設置されてしまうことである。
【００１１】
伝送線への各火災報知端末の接続確認には、受信機に備えられたアドレス確認機能を用いて行う場合と、火災報知システムの施工現場において受信機の接続前に、伝送線へ模擬装置（シミュレータ）を接続して、伝送線への各火災報知端末の接続確認を行う場合とがあった。
【００１２】
しかしながら、受信機あるいは模擬装置による伝送線への各火災報知端末の接続確認では、個別の系統（例えば、各階の火災報知端末系統）の接続確認を表示し、次の表示へと切替えて行き、確認を行う形態となっていた。従って、全ての火災報知端末の接続確認を瞬時に行うことができず、確認に時間がかかり、見落としも発生する問題があった。
【００１３】
また、複数の火災報知端末のアドレスを設定した後で、感知器のアドレス間違い等により、特定の火災報知端末のアドレスを訂正しなければならない事態となった場合、受信機あるいは模擬装置では、特定の火災報知端末のアドレスのみを訂正することが出来なかった。従って、特定の火災報知端末のアドレスを訂正しなければならない場合は、その特定の火災報知端末を伝送線から外して、その外した特定の火災報知端末に対してアドレス訂正を行わなければならなかった。
【００１４】
本発明は、上記問題点に鑑みてなされたものであり、その目的は、全ての火災報知端末の接続状態およびアドレス重複の確認を容易に行うことができる火災報知システムおよび火災報知端末の状態確認識別子訂正方法を提供することである。
【００１５】
本発明の他の目的は、火災報知端末のアドレス間違いを容易に検出できると共に、特定の火災報知端末のアドレスを訂正することができる火災報知システムおよび火災報知端末の状態確認識別子訂正方法を提供することである。
【課題を解決するための手段】
【００１６】
第１の発明は、それぞれ識別子を持ち火災に関連する感知情報を検知する複数の火災報知端末と、前記火災報知端末よりの感知情報を受信して表示するため前記火災報知端末に接続される受信機と、を有する火災報知システムであって、前記識別子に対応する前記火災報知端末の状態を検知するために前記火災報知端末に接続される模擬装置と、前記模擬装置と無線で通信して、前記識別子に対応する前記火災報知端末の状態を表示する携帯端末と、を備えることである。
【００１７】
第２の発明は、第１の発明に係る火災報知システムにおいて、前記携帯端末が、前記模擬装置により検知された前記火災報知端末の状態を、識別子順に一覧表示することである。
【００１８】
第３の発明は、第２の発明に係る火災報知システムにおいて、前記火災報知端末の状態が、前記火災報知端末の接続状態であることである。
【００１９】
第４の発明は、第２の発明に係る火災報知システムにおいて、前記火災報知端末の状態が、前記火災報知端末の識別子の重複であることである。
【００２０】
第５の発明は、第１の発明に係る火災報知システムにおいて、前記火災報知端末が、それぞれの作動状態を表示する表示手段を有しており、前記携帯端末が、前記模擬装置と無線で通信して、前記火災報知端末の識別子に従って前記火災報知端末の表示手段を表示させる表示指示を前記模擬装置へ送信し、前記模擬装置が、前記携帯端末よりの表示指示により、前記火災報知端末の識別子に従って前記火災報知端末の表示手段を表示させることである。
【００２１】
第６の発明は、第５の発明に係る火災報知システムにおいて、前記火災報知端末の識別子に従った前記火災報知端末の表示手段による表示に基づいて、前記火災報知端末の識別子が所定の設定と違っていることが検出されることである。
【００２２】
第７の発明は、第６の発明に係る火災報知システムにおいて、前記模擬装置が、前記携帯端末よりの訂正指示に基づいて、前記火災報知端末の所定の設定と違っている識別子の訂正することである。
【００２３】
第８の発明は、第４の発明に係る火災報知システムにおいて、前記模擬装置が、前記携帯端末よりの指示に基づいて、前記火災報知端末の重複識別子の訂正することである。
【００２４】
第９の発明は、第１〜８の発明のいずれかに係る火災報知システムにおいて、前記受信機が前記火災報知端末に接続されていない状態であることである。
【００２５】
第１０の発明は、第１〜９の発明のいずれかに係る火災報知システムにおいて、前記火災報知端末の表示手段が、それぞれの作動状態を表示するためのライトからなることである。
【００２６】
第１１の発明は、それぞれ識別子を持ち火災に関連する感知情報を検知する複数の火災報知端末と、前記火災報知端末よりの感知情報を受信して表示するため前記火災報知端末に接続される受信機と、を有する火災報知システムであって、前記火災報知端末の識別子を確認して訂正するために前記火災報知端末に接続される模擬装置と、前記模擬装置と無線で通信して、前記火災報知端末の識別子の状態を表示する携帯端末とを備え、前記火災報知端末が、それぞれの作動状態を表示する表示手段を有しており、前記携帯端末が、前記火災報知端末の識別子に従って前記表示手段を表示させる表示指示を前記模擬装置へ送信し、前記模擬装置が、前記携帯端末よりの表示指示により、前記火災報知端末の識別子に従って前記表示手段を表示させ、前記火災報知端末の識別子に従った前記火災報知端末の表示手段による表示に基づいて、前記火災報知端末の識別子が所定の設定と違っていることが検出され、前記火災報知端末の識別子が所定の設定と違っている場合、前記携帯端末は、その所定の設定と違っている識別子を訂正する訂正指示を前記模擬装置に対して行い、前記模擬装置は、前記携帯端末よりの訂正指示に基づいて、その所定の設定と違っている識別子を訂正することである。
【００２７】
第１２の発明は、第１１の発明に係る火災報知システムにおいて、前記受信機が前記火災報知端末に接続されていない状態であることである。
【００２８】
第１３の発明は、第１１、１２の発明のいずれかに係る火災報知システムにおいて、前記火災報知端末の表示手段が、それぞれの作動状態を表示するためのライトからなることである。
【００２９】
第１４の発明は、それぞれ識別子を持ち火災に関連する感知情報を検知する複数の火災報知端末と、前記火災報知端末よりの感知情報を受信して表示するため前記火災報知端末に接続される受信機と、前記火災報知端末に接続される模擬装置と、前記模擬装置と無線で通信する携帯端末を有する火災報知システムにおける火災報知端末の状態確認識別子訂正方法であって、前記模擬装置により、前記識別子に対応する前記火災報知端末の状態が検知される工程と、前記模擬装置により、前記火災報知端末の状態の情報が前記携帯端末へ送信される工程と、前記携帯端末により、前記識別子に対応する前記火災報知端末の状態が識別子順に一覧表示される工程と、を備えることである。
【００３０】
第１５の発明は、それぞれ識別子を持ち火災に関連する感知情報を検知する複数の火災報知端末と、前記火災報知端末よりの感知情報を受信して表示するため前記火災報知端末に接続される受信機と、前記火災報知端末に接続される模擬装置と、前記模擬装置と無線で通信する携帯端末を有し、前記火災報知端末が、それぞれの作動状態を表示する表示手段を有する火災報知システムにおける火災報知端末の状態確認識別子訂正方法であって、前記携帯端末により、前記火災報知端末の識別子に従って前記火災報知端末の表示手段を表示させる表示指示が前記模擬装置へ送信される工程と、前記模擬装置により、前記携帯端末よりの表示指示に基づいて、前記火災報知端末の識別子に従って前記火災報知端末の表示手段が表示される工程と、前記火災報知端末の識別子に従った前記火災報知端末の表示手段による表示に基づいて、前記火災報知端末の識別子が所定の設定と違っていることが検出される工程と、前記携帯端末により、前記火災報知端末の識別子が所定の設定と違っている場合に、その所定の設定と違っている識別子を訂正する訂正指示が前記模擬装置に対して行われる工程と前記模擬装置により、前記携帯端末よりの訂正指示に基づいて、その所定の設定と違っている識別子が訂正される工程と、を備えることである。
【発明の効果】
【００３１】
本発明によれば、全ての火災報知端末の接続状態およびアドレス重複の確認を容易に行うことができると共に、特定の火災報知端末のアドレスを訂正することができるという効果を奏する。
【図面の簡単な説明】
【００３２】
【図１】本発明に係る火災報知システムの一実施形態の説明図である。
【図２】図１に示した火災報知システム１の設置完了後の説明図である。
【図３】図１に示した感知器伝送線に接続された火災報知端末の概略内部回路ブロック図である。
【図４】図１に示したシミュレータ３５の説明図であり、（ａ）は、シミュレータ３５の内部構成図であり、（ｂ）は、その制御部３５ｂの構成図である。
【図５】図１に示した携帯端末９の説明図であり、（ａ）は、携帯端末９の内部構成図であり、（ｂ）は、その制御部９ａの構成図である。
【図６】図１に示した火災報知システム１における識別子に対応する火災報知端末の接続状態および識別子重複を検知して表示する第１の動作のフローチャートである。
【図７】図１に示した火災報知システム１の第１の動作における携帯端末９とシミュレータ３５および火災報知端末との信号通信シーケンスを示す説明図である。
【図８】第１の動作における携帯端末９の表示部９ｂの表示画面の説明図である。
【図９】第１の動作における携帯端末９の表示部９ｂの表示画面の説明図である。
【図１０】第１の動作における携帯端末９の表示部９ｂの表示画面の説明図である。
【図１１】図１に示した火災報知システム１における火災報知端末の識別子を確認し、間違った識別子を訂正する第２の動作のフローチャートである。
【図１２】図１に示した火災報知システム１の第２の動作における携帯端末９とシミュレータ３５および火災報知端末との信号通信シーケンスを示す説明図である。
【図１３】第２の動作における携帯端末９の表示部９ｂの表示画面の説明図である。
【図１４】第２の動作における携帯端末９の表示部９ｂの表示画面の説明図である。
【図１５】第２の動作における携帯端末９の表示部９ｂの表示画面の説明図である。
【図１６】第２の動作における携帯端末９の表示部９ｂの表示画面の説明図である。
【図１７】第２の動作における携帯端末９の表示部９ｂの表示画面の説明図である。
【図１８】第２の動作における携帯端末９の表示部９ｂの表示画面の説明図である。
【図１９】第２の動作における携帯端末９の表示部９ｂの表示画面の説明図である。
【図２０】第２の動作における携帯端末９の表示部９ｂの表示画面の説明図である。
【図２１】図１に示した火災報知システム１の第２の動作における携帯端末９とシミュレータ３５および火災報知端末との信号通信シーケンスを示す説明図である。
【図２２】第２の動作における携帯端末９の表示部９ｂの表示画面の説明図である。
【図２３】第２の動作における携帯端末９の表示部９ｂの表示画面の説明図である。
【発明を実施するための形態】
【００３３】
以下、本発明の一実施形態について図面を参照しながら説明する。
【００３４】
本願発明の特徴は、火災報知システムにおける煙感知器や熱感知器や発信機等の各火災報知端末の状態確認識別子訂正動作を、携帯端末を使って模擬装置（シミュレータ）により行うことである。
【００３５】
そして、特に、火災報知システムの設置途中における受信機の接続前の状態での、各火災報知端末の状態確認識別子訂正動作を、施工者が、携帯端末を使って模擬装置により行うことにある。
【００３６】
より詳しく説明すると、上記火災報知端末の状態確認識別子訂正動作とは、施工者が、模擬装置と無線で通信する携帯端末を介して、模擬装置により、各火災報知端末の識別子に対応する火災報知端末の状態を検知し、施工者が、識別子に対応する火災報知端末の状態を識別子順に携帯端末に一覧表示させて確認し、さらに、施工者が、携帯端末により、所定の識別子を訂正する動作となる。
【００３７】
ここで、状態確認識別子訂正動作は、大別して、識別子に対応する火災報知端末の接続状態および識別子重複を検知して表示する第１の動作（図６〜図１０）と、火災報知端末の識別子を確認し、間違った識別子を訂正する第２の動作（図１１〜図２３）とからなる。
そして、各火災報知端末の識別子とは、各火災報知端末に割り当てられたアドレスからなる。
【００３８】
ここでは、まず、設置完了後の火災報知システムについて説明し、その後、各火災報知端末の状態確認識別子訂正動作をシミュレータにより行う本発明に係る火災報知システムの一実施形態について詳しく説明する。
【００３９】
図２は、図１に示した本発明に係る火災報知システムの一実施形態の設置完了後の説明図である。
【００４０】
図２に示すように、受信機３には、感知器伝送線１３が接続されており、その感知器伝送線１３には、アイソレータ１５ａ、１５ｂを介して、煙感知器１９、熱電対式検出器２１、アドレスアダプタ２３、煙感知器２５、熱感知器２９、アドレス付発信機３１−１、アドレスアダプタ接続用発信機３１−２等の火災報知端末が接続されている。
【００４１】
煙感知器１９および熱感知器２９および煙感知器２５およびアドレス付発信機３１−１のそれぞれには、それらの作動状態を知らせるためのＬＥＤライト１９ａ、２５ａ、２９ａ、３１ａが設けられている。
【００４２】
なお、図２においては、一部の火災報知端末のみを表示しており、アドレスアダプタ接続用発信機３１−２の先には、多数の一般型（アドレスのない）火災報知端末が接続されている。更に、アドレス付発信器３１−１およびアドレスアダプタ２３の先にはアドレス付火災報知端末が接続されている。
【００４３】
なお、アドレス付発信機３１−１とアドレスアダプタ接続用発信機３１−２との間は電話線３１−３で接続され、その電話線３１−３は、受信機３に接続される。
【００４４】
図１は、本発明に係る火災報知システムの一実施形態の説明図である。
【００４５】
図１に示すように、この一実施形態による火災報知システム１は、設置途中の状態であり、感知器伝送線１３に受信機３がまだ接続されておらず、アイソレータ１５ａ内に、シミュレータ３５が模擬装置として設置され、後述するように感知器伝送線１３ａに接続されている。
【００４６】
図１に示すように、アイソレータ１５ａには、感知器伝送線１３ａを介して、煙感知器１９、熱感知器２９、煙感知器２５、アドレス付発信機３１−１、アドレスアダプタ接続用発信機３１−２等の火災報知端末が接続されている。また、アイソレータ１５ｂの感知器伝送線１３ｂを介して、煙感知器１９、熱電対式検出器２１、アドレスアダプタ２３、一般感知器２５、の火災報知端末が接続されている。
【００４７】
煙感知器１９および煙感知器２５および熱感知器２９およびアドレス付発信機３１−１のそれぞれには、それらの作動状態を知らせるためのＬＥＤライト（表示手段）１９ａ、２５ａ、２９ａ、３１ａが設けられている。
【００４８】
このＬＥＤライト１９ａ、２５ａ、２９ａ、３１ａは、後述するように、煙感知器１９および煙感知器２５および熱感知器２９およびアドレス付発信機３１−１のアドレス確認を行う場合にも用いられる。
【００４９】
なお、この図１においても、一部の火災報知端末のみを表示しており、アドレスアダプタ接続用発信機３１−２の先には、多数の火災報知端末が接続されている。
【００５０】
図３は、感知器伝送線に接続された火災報知端末の概略内部回路ブロック図である。図３では、感知器伝送線１３ａを介してシミュレータ３５に接続された煙感知器２５の内部回路を示している。
【００５１】
図３に示すように、煙感知器２５は、感知器伝送線１３ａから通信信号を受信して変復調を行う通信部２５ｂと、感知器伝送線１３ａから電力を受け取って内部で使用する電力を供給する電源部２５ｃと、通信内容に従って全体の制御を行う制御部２５ｄと、熱や煙等の火災の要素を検出する検出部２５ｅと、通信で扱う自己のアドレス（識別子）を記憶するアドレス保存部２５ｆとを有し、制御部２５ｄには、上述したＬＥＤライト２５ａが接続されている。
【００５２】
そして、制御部２５ｄが、シミュレータ３５よりのアドレス確認信号に基づいて、ＬＥＤライト２５ａを点灯させるように制御すると共に、シミュレータ３５よりのアドレス訂正信号に基づいて、アドレス保存部２５ｆに記憶されたアドレスを書き換えて訂正するように制御する。
【００５３】
なお、煙感知器２５以外の煙感知器１９、熱感知器２９、アドレス付発信機３１−１、アドレスアダプタ２３、熱電対式検出器２１等の内部回路構成も、図３に示した内部構成とほぼ同様である。
【００５４】
この実施形態では、各火災報知端末のアドレスの設定は、各火災報知端末の配線前に、各火災報知端末に対して専用のアドレス設定器で行っている。すなわち、施工者が、各火災報知端末の設定図に基づいて専用のアドレス設定器を使って各火災報知端末のアドレス設定を行い、アドレス設定の行われた感知器を、施工者が感知器伝送線１３ａへ設置配線している。
【００５５】
このシミュレータ３５は、感知器伝送線１３ａに接続された煙感知器１９、熱感知器２９、アドレス付発信機３１−１等の火災報知端末の接続状態および識別子重複を検知して表示する第１の動作と、火災報知端末の識別子を確認し、間違った識別子を訂正する第２の動作とを、後述するように、施工者１１の持つ携帯端末９によりコントロールされて行うようになっている。
【００５６】
なお、この実施形態では、シミュレータ３５をアイソレータ１５ａ内に設置しているが、アイソレータ１５ａ内への設置に限定されず、シミュレータ３５が感知器伝送線１３ａに接続されていればどこでも良い。
【００５７】
図４は、シミュレータ３５の説明図であり、（ａ）は、シミュレータ３５の内部構成図であり、（ｂ）は、その制御部３５ｂの構成図である。
【００５８】
図４（ａ）に示すように、この実施形態では、シミュレータ３５は、アイソレータ１５ａ内に設置され、感知器伝送線１３ａに接続された感知器通信部３５ａと、感知器通信部３５ａに接続された制御部３５ｂと、制御部３５ｂに接続された無線送受信部３５ｃと、感知器通信部３５ａおよび制御部３５ｂおよび無線送受信部３５ｃに電源を供給するための電源部３５ｄとを有し、電源部３５ｄは、ＵＳＢより電源供給されるようになっている。
【００５９】
なお、電源部３５ｄへの電源供給は、ＡＣ電源や電池等の他の方法でも良い。
【００６０】
また、図４（ｂ）に示すように、制御部３５ｂは、ＣＰＵ３５ｂ１、ＲＡＭ３５ｂ３、ＲＯＭ（不揮発性メモリ）３５ｂ５を有しており、ＲＡＭ３５ｂ３内には、後述する火災報知端末の接続状態および識別子重複を検知して表示する第１の動作および火災報知端末の識別子を確認し間違った識別子を訂正する第２の動作を行うための第１のプログラムがダウンロードされて記憶され、施工者等による携帯端末９を介しての指示入力およびその第１のプログラムに基づいて、火災報知端末の接続状態および識別子重複を検知して表示する第１の動作および火災報知端末の識別子を確認し間違った識別子を訂正する第２の動作が、ＣＰＵ３５ｂ１により行われる。
【００６１】
なお、上述した第１のプログラムからなるアプリケーションソフトは、予めＲＯＭ３５ｂ５内に記憶させておいても良いし、特定の認証を介してインターネットからＲＡＭ３５ｂ３に取り込めるようにしても良い。
【００６２】
シミュレータ３５の詳しい動作については、状態確認識別子訂正方法と共に後で詳しく説明する。
【００６３】
次に、施工者１１が携帯して使用する携帯端末９について説明する。
【００６４】
この実施形態では、携帯端末９は、シミュレータ３５の無線送受信部３５ｃとの無線通信機能を有すると共に、通話機能やインターネットを介した通信機能等を有する一般的なスマートフォンやタブレット端末を使用する。
【００６５】
なお、携帯端末９は、シミュレータ３５の無線送受信部３５ｃを有線送受信部として、ＵＳＢなどの有線通信機能で接続されても良い。
【００６６】
図５は、携帯端末９の説明図であり、（ａ）は、携帯端末９の内部構成図であり、（ｂ）は、その制御部９ａの構成図である。
【００６７】
図５（ａ）に示すように、携帯端末９は、後述する感知情報等の表示動作を含む端末全体の制御を行う制御部９ａと、制御部９ａよりの表示情報を表示するため制御部９ａに接続された液晶画面からなる表示部９ｂと、シミュレータ３５の無線送受信部３５ｃと表示情報等を送受信するための送受信部９ｃと、制御部９ａへ電源を供給するため制御部９ａに接続された電源部９ｄおよび蓄電部９ｅとを有している。ここで、表示部９ｂの構成は液晶画面に限られず有機ＥＬ画面など表示情報等を表示できるものであればよい。
【００６８】
なお、シミュレータ３５の無線送受信部３５ｃを有線送受信部としたときは、送受信するための送受信部９ｃを有線通信機能で接続されても良い。
【００６９】
また、図５（ｂ）に示すように、制御部９ａは、ＣＰＵ９ａ１、ＲＡＭ９ａ３、ＲＯＭ（不揮発性メモリ）９ａ５を有しており、ＲＡＭ９ａ３内には、後述する火災報知端末の接続状態および識別子重複を検知して表示する第１の動作および火災報知端末の識別子を確認し間違った識別子を訂正する第２の動作を行うための第２のプログラムがダウンロードされて記憶され、その第２のプログラムに基づいて、シミュレータ３５と協働して、第１の動作および第２の動作とがＣＰＵ９ａ１により行われる。
【００７０】
なお、上述した第２のプログラムからなるアプリケーションソフトは、予めＲＯＭ９ａ５内に記憶させておいても良いし、特定の認証を介してインターネットからＲＡＭ９ａ３に取り込めるようにしても良い。
【００７１】
次に、図６〜図１０を参照して、図１に示した火災報知システム１における火災報知端末の状態確認方法（火災報知端末の接続状態およびアドレス重複を検知して表示する第１の動作）について説明する。
【００７２】
図６は、図１に示した火災報知システム１における識別子に対応する火災報知端末の接続状態および識別子重複を検知して表示する第１の動作のフローチャートであり、図７は、図１に示した火災報知システム１の第１の動作における携帯端末９とシミュレータ３５および火災報知端末との信号通信シーケンスを示す説明図であり、図８〜図１０は、第１の動作における携帯端末９の表示部９ｂの表示画面の説明図である。
【００７３】
なお、この火災報知端末の状態確認は、図１に示した火災報知システム１において、シミュレータ３５に無線で接続された携帯端末９への施工者１１が指示入力に従う火災報知端末スキャン動作によって行われる。
【００７４】
図６のステップ１０１において、感知器伝送線１３ａに接続された火災報知端末の状態確認からなるスキャン動作がアドレス順に行われる。
【００７５】
すなわち、まず、施工者１１が手にした携帯端末９の送受信部９ｃがシミュレータ３５の無線送受信部３５ｃとの無線通信を行っている状態で、携帯端末９において第２のプログラムが稼働し、図８（ａ）に示すように、携帯端末９の表示部９ｂに、動作モードの選択画面が表示される。
【００７６】
すなわち、携帯端末９のＣＰＵ９ａ１は、ＲＡＭ９ａ３内に記憶された第２のプログラムに基づいて、表示部９ｂに図８（ａ）に示すような動作モードの選択画面を表示部９ｂに表示させる。
【００７７】
そして、図８（ａ）に示すように、施工者１１が、動作モードの選択画面における確認ボタン９ｂ１を押すと、図８（ｂ）に示すようなアドレス順のアドレス確認画面が、携帯端末９の表示部９ｂに表示される。
【００７８】
すなわち、携帯端末９のＣＰＵ９ａ１は、ＲＡＭ９ａ３内に記憶された第２のプログラムに基づいて、表示部９ｂに図８（ｂ）に示すようなアドレス順のアドレス確認画面を表示部９ｂに表示させる。
【００７９】
ここで、各火災報知端末の状態は、アドレスに対応したマトリックス状（行列状）に表示された丸印のアイコンで示される。この実施形態では、図８（ｂ）に示すように、０〜９の列（１刻み）および０〜１２０の行（１０刻み）のマトリックス（行列）でアドレス順に表示される。
【００８０】
図９（ｃ）に示すように、施工者１１が、アドレス確認画面におけるスキャンボタン９ｂ３を押すと、アドレス順にスキャン動作が開始される。すなわち、アドレスの小さい順に、００から０１、０２----と、１刻みでスキャンされて行く。
【００８１】
すなわち、携帯端末９のＣＰＵ９ａ１は、ＲＡＭ９ａ３内に記憶された第２のプログラムに基づいて、シミュレータ３５の無線送受信部３５ｃへ無線通信で、スキャン動作の開始指示情報を送受信部９ｃを介して送信する。
【００８２】
図７に示すように、シミュレータ３５は、そのスキャン動作の開始指示情報Ｓ１を、その無線送受信部３５ｃによって受信すると、ＲＡＭ３５ｂ３内に記憶された第１のプログラムに基づいて、各火災報知端末のアドレス順のスキャン動作を開始する。
【００８３】
すなわち、図７に示すように、シミュレータ３５は、煙感知器１９および煙感知器２５および熱感知器２９およびアドレス付発信機３１−１等へアドレス確認信号Ｓ３をアドレス順に送り、その応答信号Ｓ５によりアドレス確認を行う。これにより、シミュレータ３５は、未スキャン状態の火災報知端末および未接続状態の火災報知端末および正常接続状態の火災報知端末およびアドレスが重複している火災報知端末を検出する。
【００８４】
そして、シミュレータ３５は、図７に示すように、検出した未スキャン状態の火災報知端末および未接続状態の火災報知端末および正常接続状態の火災報知端末およびアドレスが重複している火災報知端末の情報Ｓ７を、その無線送受信部３５ｃから携帯端末９の送受信部９ｃへ順次に無線通信し、携帯端末９は、その検出した情報Ｓ７を受信する。
【００８５】
そして、携帯端末９は、受信した火災報知端末の情報Ｓ７に基づいて、以下のようにスキャン動作の結果情報を順次に表示する。
【００８６】
すなわち、携帯端末９は、図９（ｄ）に示すようなスキャン動作画面が、携帯端末９の表示部９ｂに表示される。
【００８７】
ここで、スキャン動作画面には、図９（ｄ）に示すように、アドレス確認画面におけるスキャンボタン９ｂ３が、スキャン動作中を示す停止ボタン９ｂ５に変わり、中央部に、スキャン中のメッセージ９ｂ７が表示される。そして、スキャンが済んだ火災報知端末から順次、マトリックス状に表示された丸印のアイコンの色が変化し、未接続状態又はアドレス重複が検出された場合には、その件数を表す数字が更新される。
【００８８】
アイコンの色については図１０（ｄ）に示すように、火災報知端末の丸印アイコンが青色の場合、その火災報知端末が未スキャン状態であることを示し、火災報知端末の丸印アイコンが灰色の場合、その火災報知端末が未接続状態であることを示し、火災報知端末の丸印アイコンが緑色の場合、その火災報知端末が正常接続状態であることを示し、火災報知端末の丸印アイコンが黄色の場合、その火災報知端末がアドレス重複状態であることを示す。
【００８９】
なお、図８〜図１０に示す携帯端末９のスキャン動作画面では、青色の丸印アイコンは、白丸で示し、灰色の丸印アイコンは、斜線丸で示し、緑色の丸印アイコンは、黒丸で示している。
【００９０】
次に、図６のステップ１０３において、アドレスを持つ全ての火災報知端末のスキャン動作が終了したか否かが判定され、アドレスを持つ全ての火災報知端末のスキャン動作が終了した場合、ステップ１０５において、アドレス順のスキャン結果の一覧マトリックス状の表示が行われる。
【００９１】
すなわち、図７に示すように、シミュレータ３５により検出された未接続状態の火災報知端末および正常接続状態の火災報知端末およびアドレスが重複している火災報知端末の情報Ｓ７が順次に携帯端末９へ送信されてアドレスを持つ全ての火災報知端末のスキャン動作が終了すると、携帯端末９は、図１０（ａ）に示すようなスキャン動作画面が、図１０（ｂ）に示すようなスキャン結果確認画面に変わって携帯端末９の表示部９ｂに表示される。
【００９２】
ここで、スキャン結果確認画面には、図１０（ｂ）に示すように、アドレス確認画面におけるスキャン動作中を示す停止ボタン９ｂ５が、スキャンボタン９ｂ３に戻り、中央部に表示されていたスキャン中のメッセージ９ｂ７が消去され、画面の下部にスキャン結果が表示される。それにより、施工者１１がスキャン結果を確認できる。そして、図１０（ｃ）に示すように、施工者１１がアドレス確認画面を指でスクロールして行くことにより、全てのスキャン結果を確認する。
【００９３】
この実施形態では、２００個の火災報知端末が接続されることが想定され、そのアドレスも２００個がスクロールにより表示される。
【００９４】
なお、図１０（ｂ）に示すように、この実施形態では、０〜９の列（１刻み）および０〜１２０の行（１０刻み）のマトリックス（行列）において、０〜２０の行のアドレスの火災報知端末が、青色（白丸）の未スキャン状態であり、４０行の１列のアドレス火災報知端末が、灰色（斜線丸）の未接続状態であり、他の３０〜１２０行のアドレス火災報知端末が、緑色（黒丸）の正常接続状態であることが表示される。
【００９５】
また、この実施形態では、図７に示すようにシミュレータ３５による火災報知端末のスキャン動作と平行して、火災報知端末の情報Ｓ７を順次携帯端末９へ送信して、携帯端末９でのスキャン結果確認を行うようにしていたが、シミュレータ３５によりアドレスを持つ全ての火災報知端末のスキャン動作が終了し、全ての検出された未スキャン状態の火災報知端末および未接続状態の火災報知端末および正常接続状態の火災報知端末およびアドレスが重複している火災報知端末の情報Ｓ７が携帯端末９へ送信されてから、携帯端末９でスキャン結果確認が行われるようにしても良い。
【００９６】
このように、この実施形態による火災報知端末の状態確認方法によれば、各火災報知端末のスキャン結果をアドレス順に一覧マトリックス状で表示するので、伝送線への各火災報知端末の接続確認を容易に行うことができると共に、各火災報知端末のアドレス重複も検出して表示するので、各火災報知端末のアドレス重複をも容易に確認できる。
【００９７】
なお、火災報知端末の状態確認方法によって検出され表示された各火災報知端末のアドレス重複は、後述するアドレス訂正方法で訂正することができる。
【００９８】
次に、図１１〜図２３を参照して、図１に示した火災報知システム１における火災報知端末のアドレス確認訂正方法（火災報知端末のアドレスを確認し、間違ったアドレスを訂正する第２の動作）について説明する。
【００９９】
図１１は、図１に示した火災報知システム１における火災報知端末の識別子を確認し、間違った識別子を訂正する第２の動作のフローチャートであり、図１２は、図１に示した火災報知システム１の第２の動作における携帯端末９とシミュレータ３５および火災報知端末との信号通信シーケンスを示す説明図であり、図１３〜図２０、図２２、図２３は、第２の動作における携帯端末９の表示部９ｂの表示画面の説明図であり、図２１は、図１に示した火災報知システム１の第２の動作における携帯端末９とシミュレータ３５および火災報知端末との信号通信シーケンスを示す説明図である。
【０１００】
なお、この火災報知端末のアドレス確認訂正は、図１に示した火災報知システム１において、シミュレータ３５に無線で接続された携帯端末９への施工者１１が指示入力に従って行われる。
【０１０１】
図１１のステップ２０１において、感知器伝送線１３に接続された火災報知端末のアドレス確認動作が行われる。
【０１０２】
すなわち、まず、施工者１１が手にした携帯端末９の送受信部９ｃがシミュレータ３５の無線送受信部３５ｃとのＷｉｆｉ等の無線通信を行っている状態で、携帯端末９において第２のプログラムが稼働し、図８（ａ）に示すように、携帯端末９の表示部９ｂに、動作モードの選択画面が表示される。
【０１０３】
すなわち、携帯端末９のＣＰＵ９ａ１は、ＲＡＭ９ａ３内に記憶された第２プログラムに基づいて、表示部９ｂに図８（ａ）に示すような動作モードの選択画面を表示部９ｂに表示させる。
【０１０４】
そして、図８（ａ）に示すように、施工者１１が、動作モードの選択画面における確認ボタン９ｂ１を押すと、図８（ｂ）に示すようなアドレス確認画面が、携帯端末９の表示部９ｂに表示される。
【０１０５】
すなわち、携帯端末９のＣＰＵ９ａ１は、ＲＡＭ９ａ３内に記憶された第２のプログラムに基づいて、図８（ｂ）に示すようなアドレス確認画面を表示部９ｂに表示させる。
【０１０６】
ここで、各火災報知端末の状態は、マトリックス状（行列状）に表示された丸印のアイコンで示される。この実施形態では、図８（ｂ）に示すように、０〜９の列（１刻み）および０〜１２０の行（１０刻み）のマトリックス（行列）で表示される。
ここまでは、図６のステップ１０１において説明した火災報知端末のアドレス確認動作と同様である。
【０１０７】
次に、施工者１１が、図８（ｂ）に示すようなアドレス確認画面における任意のアドレスの丸印アイコンを選択して、指で押すと、図１３（ａ）に示すような個別詳細確認画面が、携帯端末９の表示部９ｂに表示される。
【０１０８】
図１３（ａ）に示すように、この個別詳細確認画面から、アドレス番号が１１の火災報知端末が選択されたことがわかる。
【０１０９】
施工者１１が、図１３（ａ）に示す個別詳細確認画面における操作ボタン９ｂ８を押すと、図１３（ｂ）に示すような操作画面が、携帯端末９の表示部９ｂに表示される。
【０１１０】
施工者１１が、図１３（ｂ）に示すような操作画面における点灯ボタン９ｂ９を押すと、以下に説明するように、アドレス番号１１の火災報知端末のＬＥＤライトが点灯する。
【０１１１】
すなわち、図１２に示すように、携帯端末９のＣＰＵ９ａ１は、ＲＡＭ９ａ３内に記憶された第２のプログラムに基づいて、シミュレータ３５の無線送受信部３５ｃへ無線通信で、アドレス確認動作の開始指示情報Ｓ１１（表示指示）を送受信部９ｃを介して送信させる。
【０１１２】
シミュレータ３５は、そのアドレス確認動作の開始指示情報Ｓ１１を、その無線送受信部３５ｃによって受信すると、ＲＡＭ３５ｂ３内に記憶された第１のプログラムに基づいて、各火災報知端末のアドレス確認動作を開始する。
【０１１３】
すなわち、図１２に示すように、シミュレータ３５は、煙感知器１９および煙感知器２５および熱感知器２９およびアドレス付発信機３１−１等の火災報知端末へアドレス確認信号Ｓ１３を、選択されたアドレス番号が１１の火災報知端末に送る。それにより、図１４（ｃ）に示すように、アドレス番号１１の火災報知端末（この実施形態では、煙感知器２５とする）のＬＥＤライト２５ａが点灯する。
【０１１４】
すなわち、煙感知器２５が、シミュレータ３５よりのアドレス確認信号Ｓ１３を受信すると、煙感知器２５の制御部２５ｄが、シミュレータ３５よりのアドレス確認信号に基づいて、ＬＥＤライト２５ａを点灯させるように制御する。
【０１１５】
なお、図１４（ｃ）では、携帯端末９の表示部９ｂの下に、ＬＥＤライト２５ａが点灯した煙感知器２５を模式的に示している。
【０１１６】
このように、この実施形態においては、選択されたアドレス番号が１１の火災報知端末である煙感知器２５のＬＥＤライト２５ａが点灯することにより、施工者１１が、その携帯端末９を持って選択されたアドレス番号１１の場所へ行き、その煙感知器２５のＬＥＤライト２５ａの点灯を確認すれば、その煙感知器２５が正しく設置されているか否かがわかる。
【０１１７】
すなわち、施工者が、各火災報知端末の設定図に従って各火災報知端末に対して専用のアドレス設定器で行っているので、その各火災報知端末の設定図を、予め携帯端末９に記憶しておけば、施工者１１は、その各火災報知端末の設定図を携帯端末９の表示部９ｂに表示させ、選択されたアドレス番号１１の火災報知端末の設置されるべき場所に行って、その火災報知端末のＬＥＤライト１９ａの点灯を確認すれば、正しい火災報知端末が設置されているか否かを判断できる。これにより、火災報知端末のアドレス間違いを簡単に確認して検出できる。
【０１１８】
なお、この実施形態では、各火災報知端末の設定図を予め携帯端末９に記憶しておき、その各火災報知端末の設定図を携帯端末９の表示部９ｂに表示させて、施工者１１が見るようにしていたが、これに限定されず、施工者１１が、その設定図を直に見るようにしても良い。
【０１１９】
また、図１４（ｄ）に示すように、操作画面における消灯ボタン９ｂ１１を押すと、アドレス番号１１の火災報知端末のＬＥＤライトが消灯する操作動作が行われる。なお、図１４（ｄ）では、携帯端末９の表示部９ｂの下に、ＬＥＤライト２５ａが消灯した煙感知器２５を模式的に示している。
【０１２０】
なお、この消灯の動作は、上述した点灯の動作とほぼ同様（点灯が消灯に替わるだけ）に行われるので、詳しい説明は省略する。
【０１２１】
上記図１３および図１４で示したアドレス確認動作では、１つずつアドレス番号を指定してアドレス確認を行っていたが、以下に説明するように、逐次連続してアドレス番号指定を行ってアドレス確認をすることもできる。
【０１２２】
図１５および図１６は、火災報知端末のアドレス確認訂正方法における携帯端末９の表示部９ｂの表示画面の説明図であり、特に、逐次連続してアドレス番号指定を行ってアドレス確認をする場合の説明図である。
【０１２３】
なお、この逐次連続してアドレス番号指定を行ってアドレス確認をする場合も途中動作までは、上述した１つずつアドレス番号を指定してアドレス確認を行う場合と同様である。すなわち、まず、施工者１１が手にした携帯端末９の送受信部９ｃがシミュレータ３５の無線送受信部３５ｃとの無線通信を行っている状態で、携帯端末９において第２のプログラムが稼働し、図８（ａ）に示すように、携帯端末９の表示部９ｂに、動作モードの選択画面が表示される。
【０１２４】
すなわち、携帯端末９のＣＰＵ９ａ１は、ＲＡＭ９ａ３内に記憶された第２のプログラムに基づいて、表示部９ｂに図８（ａ）に示すような動作モードの選択画面を表示部９ｂに表示させる。
【０１２５】
そして、図８（ａ）に示すように、施工者１１が、動作モードの選択画面における確認ボタン９ｂ１を押すと、図８（ｂ）に示すようなアドレス確認画面が、携帯端末９の表示部９ｂに表示される。
【０１２６】
すなわち、携帯端末９のＣＰＵ９ａ１は、ＲＡＭ９ａ３内に記憶された第２のプログラムに基づいて、図８（ｂ）に示すようなアドレス確認画面を表示部９ｂに表示させる。
【０１２７】
次に、施工者１１が、図８（ｂ）に示すようなアドレス確認画面における任意のアドレスの丸印アイコンを選択して、指で押すと、図１３（ａ）に示すような個別詳細確認画面が、携帯端末９の表示部９ｂに表示される。
【０１２８】
図１３（ａ）に示すように、この個別詳細確認画面から、アドレス番号が１１の火災報知端末が選択されたことがわかる。
【０１２９】
ここで、この逐次連続してアドレス番号指定を行ってアドレス確認をする場合には、施工者１１が、図１５（ｅ）に示すように、個別詳細確認画面における逐次連続ボタン９ｂ１３を押す。
【０１３０】
そうすると、図１５（ｆ）に示すような個別詳細確認画面が、携帯端末９の表示部９ｂに表示されるので、個別詳細確認画面における操作ボタン９ｂ８を押すと、図１６（ｇ）に示すような確認画面が、携帯端末９の表示部９ｂに表示される。
【０１３１】
すなわち、図１６（ｇ）に示すように、この実施形態の場合、アドレス番号１１の表示と共に、そのアドレス番号の表示の下に、アドレス番号１１の煙感知器２５のＬＥＤライト２５ａが点灯している絵が図示され、実際に、アドレス番号１１の煙感知器２５のＬＥＤライト２５ａが点灯する。
【０１３２】
すなわち、携帯端末９のＣＰＵ９ａ１は、ＲＡＭ９ａ３内に記憶された第２のプログラムに基づいて、シミュレータ３５の無線送受信部３５ｃへ無線通信で、アドレス確認動作の開始指示情報を送受信部９ｃを介して送信する。
【０１３３】
図１２に示すように、シミュレータ３５は、そのアドレス確認動作の開始指示情報Ｓ１１（表示指示）を、その無線送受信部３５ｃによって受信すると、ＲＡＭ３５ｂ３内に記憶された第１のプログラムに基づいて、各火災報知端末のアドレス確認動作を開始する。
【０１３４】
すなわち、図１２に示すように、シミュレータ３５は、煙感知器１９および煙感知器２５および熱感知器２９およびアドレス付発信機３１−１等へアドレス確認信号Ｓ１３を、選択されたアドレス番号が１１の火災報知端末に送る。それにより、アドレス番号１１の火災報知端末（この実施形態では、煙感知器２５とする）のＬＥＤライト２５ａが点灯する操作動作が行われる。
【０１３５】
そして、図１６（ｇ）に示すように、携帯端末９の表示部９ｂにおける煙感知器２５の絵の下に、次または前のアドレス確認に移るまたは閉じるための次ボタン９ｂ１５および前ボタン９ｂ１７および閉じるボタン９ｂ１９が表示される。
【０１３６】
そこで、次ボタン９ｂ１５を押すと、図１６（ｈ）に示すように、アドレス番号１１の次のアドレス番号１２の火災報知端末（この実施形態では、熱感知器２９とする）のアドレス確認動作へと移る。
【０１３７】
すなわち、図１６（ｈ）に示すように、この実施形態の場合、アドレス番号１２の表示と共に、そのアドレス番号の表示の下に、アドレス番号１２の熱感知器２９のＬＥＤライト２９ａが点灯している絵が図示され、実際に、アドレス番号１２の熱感知器２９のＬＥＤライト２９ａが点灯する。
【０１３８】
ここでも、携帯端末９のＣＰＵ９ａ１は、ＲＡＭ９ａ３内に記憶された第２のプログラムに基づいて、シミュレータ３５の無線送受信部３５ｃへ無線通信で、アドレス確認動作の開始指示情報を送受信部９ｃを介して送信する。
【０１３９】
図１２に示すように、シミュレータ３５は、そのアドレス確認動作の開始指示情報Ｓ１１を、その無線送受信部３５ｃによって受信すると、ＲＡＭ３５ｂ３内に記憶された第１のプログラムに基づいて、各火災報知端末のアドレス確認動作を開始し、図１２に示すように、シミュレータ３５は、煙感知器１９および煙感知器２５および熱感知器２９およびアドレス付発信機３１−１等へアドレス確認信号Ｓ１３を、選択されたアドレス番号が１２の火災報知端末に送る。それにより、アドレス番号１２の熱感知器２９のＬＥＤライト２９ａが点灯する操作動作が行われる。
【０１４０】
このように、この逐次連続のアドレス確認においては、選択されたアドレス番号が１２の火災報知端末である熱感知器２９のＬＥＤライト２９ａが点灯することにより、施工者１１が、その携帯端末９を持って選択されたアドレス番号１２の場所へ行き、その熱感知器２９のＬＥＤライト２９ａの点灯を確認すれば、その熱感知器２９が正しく設置されているか否かがわかるようになる。
【０１４１】
そして、この逐次連続のアドレス確認では、携帯端末９の表示部９ｂにおける煙感知器１９の絵の下に表示される次ボタン９ｂ１５および前ボタン９ｂ１７および閉じるボタン９ｂ１９を押して行くことにより、より簡単に逐次連続したアドレス確認を行うことができる。
【０１４２】
すなわち、施工者１１が、各火災報知端末の設定図に従って各火災報知端末に対して専用のアドレス設定器で行っているので、その各火災報知端末の設定図を、予め携帯端末９に記憶しておけば、施工者１１は、その各火災報知端末の設定図を表示させ、選択されたアドレス番号の火災報知端末の設置されるべき場所に行って、その火災報知端末のＬＥＤライトの点灯を逐次確認すれば、正しい火災報知端末が設置されているか否かを判断できる。これにより、火災報知端末のアドレス間違いを簡単に確認して検出できる。
なお、この実施形態では、各火災報知端末の設定図を予め携帯端末９に記憶しておき、その各火災報知端末の設定図を携帯端末９の表示部９ｂに表示させて、施工者１１が見るようにしていたが、これに限定されず、施工者１１が、その設定図を直に見るようにしても良い。
【０１４３】
上述したアドレス確認によって見つけ出されたアドレス間違いには、さらに、マトリックス表示において、設定図に無いアドレスで表示がなされている場合や、マトリックス表示において、設定図にあるはずのアドレスで表示がなされていない場合も含まれる。
【０１４４】
次に、上述したアドレス確認によって見つけ出されたアドレス間違いの火災報知端末のアドレスを訂正する動作について説明する。
【０１４５】
図１１に戻り、そのステップ２０３において、上述したアドレス確認によってアドレス間違いが見出され、そのアドレス間違いが見出された特定の火災報知端末のアドレス番号を書き換えるか否かが判定され、特定の火災報知端末のアドレス番号を書き換える場合、ステップ２０５において、特定火災報知端末のアドレス書き換え動作が行われる。
【０１４６】
すなわち、まず、アドレス間違いが見出された後に、施工者１１が、そのアドレス間違いを訂正しようとした場合、携帯端末９の表示部９ｂを、前述した図８（ａ）に示すような動作モードの選択画面が表示される状態に戻し、図８（ａ）に示すように、施工者１１が、動作モードの選択画面における確認ボタン９ｂ１を押すと、図１７（ａ）に示すような火災報知端末をアドレス順に一覧表示したアドレス確認画面が、携帯端末９の表示部９ｂに表示される。
【０１４７】
すなわち、携帯端末９のＣＰＵ９ａ１は、ＲＡＭ９ａ３内に記憶された第２のプログラムに基づいて、図１７（ａ）に示すようなアドレス確認画面を表示部９ｂに表示させる。
【０１４８】
次に、施工者１１が、図１７（ａ）に示すようなアドレス確認画面において、上述したようにアドレス間違いが見出された特定の火災報知端末のアドレスの丸印アイコンを選択して、指で押すと、図１７（ｂ）に示すような個別詳細確認画面が、携帯端末９の表示部９ｂに表示される。
【０１４９】
図１７（ｂ）に示すように、この個別詳細確認画面から、アドレス番号が１１の火災報知端末が選択されたことがわかる。
【０１５０】
施工者１１が、図１８（ｃ）に示すように、個別詳細確認画面における設定ボタン９ｂ２１を押すと、図１８（ｄ）に示すようなアドレス設定画面が、携帯端末９の表示部９ｂに表示される。このアドレス設定画面では、アドレス番号が１１の火災報知端末が選択されたことが表示される。
【０１５１】
施工者１１が、図１８（ｄ）に示すようなアドレス設定画面におけるアドレス表示ボタン９ｂ２３を押すと、図１９（ｅ）に示すように、アドレス設定を行うためのアドレス入力画面が、携帯端末９の表示部９ｂに表示される。このアドレス入力画面では、アドレス入力画面部９ｂ２５が表示される。
【０１５２】
そして、施工者１１が、図１９（ｅ）に示すように、アドレス入力画面部９ｂ２５に、アドレス番号が１１の火災報知端末に設定する新たなアドレス番号を入力する。この実施形態では、新たなアドレス番号として、１２が入力されると、図１９（ｆ）に示すようなアドレス設定画面が、携帯端末９の表示部９ｂに表示される。
【０１５３】
このアドレス設定画面では、アドレス番号が１１の火災報知端末がアドレス番号１２に訂正されることが表示される。
【０１５４】
次に、施工者１１が、図２０（ｇ）に示すように、アドレス設定画面におけるＯＫボタン９ｂ２７を押すと、アドレス番号が１１の火災報知端末のアドレス番号１２への訂正動作が行われる。
【０１５５】
すなわち、図２１に示すように、携帯端末９のＣＰＵ９ａ１は、ＲＡＭ９ａ３内に記憶された第２のプログラムに基づいて、シミュレータ３５の無線送受信部３５ｃへ無線通信で、アドレス訂正動作の訂正アドレス情報Ｓ１５（訂正指示）を送受信部９ｃを介して送信させる。
【０１５６】
シミュレータ３５は、そのアドレス訂正動作の訂正アドレス情報Ｓ１５を、その無線送受信部３５ｃによって受信すると、ＲＡＭ３５ｂ３内に記憶された第１のプログラムに基づいて、シミュレータ３５は、アドレス番号１１の火災報知端末（この実施形態では、煙感知器２５）へアドレス書換命令信号Ｓ１７を送る。
【０１５７】
そして、煙感知器２５では、そのアドレス書換命令信号Ｓ１７に基づいて、そのアドレス番号書換機能により、アドレス番号１１の火災報知端末のアドレス番号１２へのアドレス訂正動作を開始し、アドレス番号１１の火災報知端末のアドレス番号がアドレス番号１２へ替わる訂正動作が行われる。
【０１５８】
すなわち、煙感知器２５が、シミュレータ３５よりのアドレス書換命令信号Ｓ１７を受信すると、煙感知器２５の制御部２５ｄが、シミュレータ３５よりのアドレス書換命令信号Ｓ１７に基づいて、アドレス保存部２５ｆに記憶されたアドレスを書き換えて訂正するように制御する。なお、煙感知器２５に備えられたアドレス番号書換機能の動作については公知であるので詳しい説明は省略する。
【０１５９】
このように、このアドレス訂正動作においては、所定の火災報知端末のアドレス番号の間違いが検出された場合、施工者１１が、その携帯端末９を介して、その所定の火災報知端末のアドレス間違いを訂正できるので、施工者１１が、わざわざその所定の火災報知端末へ行って、その感知器等の火災報知端末を外してアドレス番号の訂正をする必要がなくなり、アドレス番号訂正の作業効率が劇的に向上する。
【０１６０】
その後、図２１に示すように、アドレス番号１２へ替わった煙感知器２５よりのアドレス番号訂正完了信号Ｓ２１がシミュレータ３５に送信され、シミュレータ３５よりアドレス番号訂正完了信号Ｓ２３が携帯端末９へ送信されると、携帯端末９の表示部９ｂには、図２０（ｈ）に示すように、アドレス確認画面が再度表示され、アドレス番号が１１の火災報知端末がアドレス番号１２に訂正されたことがマトリックス状にアドレス順一覧表示される。すなわち、訂正された火災報知端末が、アドレス番号１２であることが一覧表上に表示されて訂正が反映される。図２０（ｈ）では、アドレス番号１２が訂正された火災報知端末であることが、斜線丸で表現されている。
【０１６１】
図２０（ｈ）に示すアドレス確認画面では、各火災報知端末の状態は、アドレスに対応したマトリックス状（行列状）に表示された丸印のアイコンで示される。この実施形態では、０〜９の列（１刻み）および０〜１２０の行（１０刻み）のマトリックス（行列）でアドレス順に表示される。
【０１６２】
すなわち、図２０（ｈ）に示すアドレス確認画面では、画面の左上から、アドレスの小さい順に、００から０１、０２----と、１刻みで表示される。
【０１６３】
また、施工者１１が、図２０（ｇ）に示すアドレス設定画面におけるキャンセルボタン９ｂ２９を押すと、図１７（ｂ）に示すような個別詳細確認画面に戻る。
【０１６４】
なお、この実施形態では、図１１のステップ２０１において端末のアドレス確認を行いステップ２０３において特定端末のアドレス書き換え動作を行う場合に、特定端末のアドレス書き換え動作を行うようにしていたが、図６に示すアドレスに対応する火災報知端末の接続状態および識別子重複を検知して表示する第１の動作によって各火災報知端末のアドレス重複が検出された場合にも、図１１のステップ２０５のアドレス訂正方法で訂正しても良い。
【０１６５】
この場合、施工者１１が、図１０（ｂ）に示すような携帯端末９の表示部９ｂに表示されたスキャン結果確認画面に示されたアドレスの重複した火災報知端末のアドレスの丸印アイコンを選択して、図１７（ｂ）に示すような個別詳細確認画面を表示させ、図１８（ｃ）に示すように、個別詳細確認画面における設定ボタン９ｂ２１を押し、図１８（ｄ）に示すようなアドレス設定画面を表示させ、アドレス設定画面におけるアドレス表示ボタン９ｂ２３を押し、図１９（ｅ）に示すようなアドレス設定を行うためのアドレス入力画面を表示させ、図１９（ｅ）に示すように、アドレス入力画面部９ｂ２５に、新たなアドレス番号を入力して、アドレスの訂正動作が行われる。
【０１６６】
次に、施工者１１が、図１９（ｅ）に示すアドレス入力画面部９ｂ２５に入力したアドレス番号が、既に使用されているアドレス番号である場合について説明する。
【０１６７】
施工者１１が、図１９（ｅ）に示すアドレス入力画面部９ｂ２５に入力したアドレス番号が、既に使用されているアドレス番号である場合には、携帯端末９の表示部９ｂには、図２２（ａ）に示すように、「指定のアドレスは既に使用されています。別のアドレスを指定してください。」とのエラーメッセージ９ｂ３１が表示され、そのエラーメッセージ９ｂ３１の下に表示されたＯＫボタン９ｂ３３を、施工者１１が押すと、図２２（ｂ）に示すようなアドレス設定画面に戻る。そして、施工者１１が、図２２（ｂ）に示すようなアドレス設定画面において、アドレス：１１ボタン９ｂ３５を押すと、図１９（ｅ）に示すようなアドレス設定画面へ戻り、アドレス番号の再訂正ができる。
【０１６８】
なお、アドレス番号１１の火災報知端末のアドレス訂正動作が終了し、他にアドレス訂正動作を行う必要のある火災報知端末がある場合、そのアドレス訂正が必要な火災報知端末へ携帯端末９の表示部９ｂの画面を切り替える必要がある。
【０１６９】
このような場合、施工者１１が、図２３（ａ）および図２３（ｂ）に示すように、携帯端末９の表示部９ｂの下端部に表示された前ボタン９ｂ３７および次ボタン９ｂ３９を押すことにより、携帯端末９の表示部９ｂの画面を切り替え、そのアドレス訂正が必要な火災報知端末の個別詳細確認画面を表示するようにする。
【０１７０】
このように、所定の火災報知端末のアドレス訂正動作が終了し、他にアドレス訂正動作を行う必要のある火災報知端末がある場合、簡単に他のアドレス訂正動作を行うことができる。
【０１７１】
本発明は前述の発明の実施の形態に限定されることなく、適宜な訂正を行うことにより、その他の態様で実施し得るものである。
【０１７２】
上記実施形態では、火災報知システムの設置過程において、受信機が接続されていない状態で、シミュレータを設置して、火災報知端末のアドレス確認および訂正を行うようにしていたが、これに限定されず、受信機の接続後に、シミュレータを設置して、火災報知端末のアドレス確認および訂正を行うようにしても良い。
【０１７３】
上記実施形態では、携帯端末９は、Ｗｉｆｉに対応した一般的なスマートフォンを使用していたが、これに限定されず、専用の受信表示端末を使用しても良い。
【０１７４】
上記実施形態では、アイソレータ１５ａには、感知器伝送線１３ａを介して、煙感知器１９、熱電対式検出器２１、アドレスアダプタ２３、煙感知器２５、熱感知器２９、アドレス付発信機３１−１、アドレスアダプタ接続用発信機３１−２等の火災報知端末が接続されているとしたが、それぞれは複数台の端末であってもよい。
【符号の説明】
【０１７５】
１…火災報知システム
３…受信機
９…携帯端末
１１…施工者
１３ａ、１３ｂ…感知器伝送線
１５ａ、１５ｂ…アイソレータ
１９…煙感知器
２１…熱電対式検出器
２３…アドレスアダプタ
２５…一般感知器
２９…熱感知器
３１−１、３１−２…発信機
３５…シミュレータ（模擬装置）
【図１】
2020119074.tif 000003
【図２】
2020119074.tif 000004
【図３】
2020119074.tif 000005
【図４】
2020119074.tif 000006
【図５】
2020119074.tif 000007
【図６】
2020119074.tif 000008
【図７】
2020119074.tif 000009
【図８】
2020119074.tif 000010
【図９】
2020119074.tif 000011
【図１０】
2020119074.tif 000012
【図１１】
2020119074.tif 000013
【図１２】
2020119074.tif 000014
【図１３】
2020119074.tif 000015
【図１４】
2020119074.tif 000016
【図１５】
2020119074.tif 000017
【図１６】
2020119074.tif 000018
【図１７】
2020119074.tif 000019
【図１８】
2020119074.tif 000020
【図１９】
2020119074.tif 000021
【図２０】
2020119074.tif 000022
【図２１】
2020119074.tif 000023
【図２２】
2020119074.tif 000024
【図２３】
2020119074.tif 000025